(57)【特許請求の範囲】
【請求項１】
複数のシーン区間で構成された映像コンテンツに関する情報の共有元の第１ユーザが操作する第１端末と、複数の第２ユーザが操作する複数の第２端末とに接続されたダイジェスト映像情報提供装置において、
前記第１端末に映像コンテンツ情報が表示されているときに、視聴している前記第１ユーザの動作状況を取得し、この第１ユーザの動作状況に基づいて、前記映像コンテンツ情報のシーン区間ごとおよび注目の種類ごとの、当該第１ユーザによる注目度を算出する注目度算出部と、
算出された注目度を前記注目の種類ごとに分類し、分類した注目の種類ごとの注目度に基づいて、当該映像コンテンツ情報に関して高い注目度を示した注目の種類に対応する第２ユーザを、前記映像コンテンツに関する情報の共有先として決定する共有先判定部と、
前記決定された第２ユーザの、スケジュールと、移動加速度から推定した移動手段、移動先、及び移動先に到着するまでの時間と、現在の曜日・時刻に対応する過去のコンテンツ連続視聴時間との少なくとも１つを基に、前記第２ユーザの推定視聴可能時間情報を推定して記憶する推定視聴可能時間情報記憶部と、
前記推定視聴可能時間情報記憶部に記憶された推定視聴可能時間内に収まるように、前記注目度算出部で算出された注目度が予め設定された閾値よりも高いシーン区間の情報を優先的に抽出し、さらに前記第１ユーザの嗜好情報に基づいてシーン区間長を調整し、さらに前記注目度、前記第１ユーザの嗜好情報との合致度、または前記第１ユーザの興味との合致度を基に決定した連結順でシーン区間を連結することで前記映像コンテンツ情報のダイジェスト映像情報を生成するダイジェスト映像情報生成部と、
前記ダイジェスト映像情報生成部で生成されたダイジェスト映像情報を、前記決定された第２ユーザに視聴させるために前記第２端末に提供する共有情報提供部と
を備えることを特徴とするダイジェスト映像情報提供装置。
【請求項２】
前記共有情報提供部から前記ダイジェスト映像情報が提供され表示されたことにより、前記ダイジェスト映像情報を視聴した前記第２ユーザの操作により送信された視聴済み通知を前記第２端末から取得したときに、前記第２ユーザによる前記映像コンテンツへの注目度が高かったと判断し、当該視聴済み通知を前記第１端末に送信する共有再反応判断部をさらに有する、
ことを特徴とする請求項１に記載のダイジェスト映像情報提供装置。
【請求項３】
複数のシーン区間で構成された映像コンテンツに関する情報の共有元の第１ユーザが操作する第１端末と、複数の第２ユーザが操作する複数の第２端末とに接続されたダイジェスト映像情報提供装置が、
前記第１端末に映像コンテンツ情報が表示されているときに、視聴している前記第１ユーザの動作状況を取得し、この第１ユーザの動作状況に基づいて、前記映像コンテンツ情報のシーン区間ごとおよび注目の種類ごとの、当該第１ユーザによる注目度を算出する注目度算出ステップと、
算出された注目度を前記注目の種類ごとに分類し、分類した注目の種類ごとの注目度に基づいて、当該映像コンテンツ情報に関して高い注目度を示した注目の種類に対応する第２ユーザを、前記映像コンテンツに関する情報の共有先として決定する共有先判定ステップと、
前記決定された第２ユーザの、スケジュールと、移動加速度から推定した移動手段、移動先、及び移動先に到着するまでの時間と、現在の曜日・時刻に対応する過去のコンテンツ連続視聴時間との少なくとも１つを基に、前記第２ユーザの推定視聴可能時間情報を推定して記憶する推定視聴可能時間情報記憶ステップと、
前記推定視聴可能時間情報記憶ステップで記憶された推定視聴可能時間内に収まるように、前記注目度算出ステップで算出された注目度が予め設定された閾値よりも高いシーン区間の情報を優先的に抽出し、さらに前記第１ユーザの嗜好情報に基づいてシーン区間長を調整し、さらに前記注目度、前記第１ユーザの嗜好情報との合致度、または前記第１ユーザの興味との合致度を基に決定した連結順でシーン区間を連結することで前記映像コンテンツ情報のダイジェスト映像情報を生成するダイジェスト映像情報生成ステップと、
前記ダイジェスト映像情報生成ステップで生成されたダイジェスト映像情報を、前記決定された第２ユーザに視聴させるために前記第２端末に提供する共有情報提供ステップと
を有することを特徴とするダイジェスト映像情報提供方法。
【請求項４】
前記共有情報提供ステップにより前記ダイジェスト映像情報が提供され表示されたことにより、前記ダイジェスト映像情報を視聴した前記第２ユーザの操作により送信された視聴済み通知を前記第２端末から取得したときに、前記第２ユーザによる前記映像コンテンツへの注目度が高かったと判断し、当該視聴済み通知を前記第１端末に送信する共有再反応判断ステップをさらに有する、
ことを特徴とする請求項３に記載のダイジェスト映像情報提供方法。
【請求項５】
請求項３または４に記載のダイジェスト映像情報提供方法をコンピュータに実行させるためのダイジェスト映像情報提供用プログラム。
【発明の詳細な説明】
【技術分野】
【０００１】
本発明は、映像コンテンツ情報を編集してダイジェスト映像情報を生成し提供するための、ダイジェスト映像情報提供装置、ダイジェスト映像情報提供方法、およびダイジェスト映像情報提供用プログラムに関する。
【背景技術】
【０００２】
従来、映像コンテンツを効率的に視聴するために、当該映像コンテンツ内のポイントとなるシーン区間のデータを抽出して、ダイジェスト映像情報を生成する技術がある。
【０００３】
例えば、特許文献１に記載のダイジェスト映像作成装置では、処理対象の映像コンテンツデータの中からユーザに選択されたシーン区間のデータを取得し、これを予め設定された時間内に収めるように調整してダイジェスト映像情報を生成している。
【０００４】
この特許文献１に記載の技術により、ダイジェストシーンとして相応しいシーン区間を優先的に含み、且つダイジェスト映像として所望の映像長を持ったダイジェスト映像情報を生成することが可能になる。
【先行技術文献】
【特許文献】
【０００５】
【特許文献１】特許第４３５８７２３号公報
【発明の概要】
【発明が解決しようとする課題】
【０００６】
ところで、一般ユーザの間では、同一の映像コンテンツに関し複数のユーザ間で情報を共有してコミュニケーションをとるツールがあり、このようなツールを利用するために、他のユーザが強く興味を示したシーン区間を限られた時間の中で効率よく視聴したいという要望がある。
【０００７】
このような視聴を行うために、上記特許文献１に記載のダイジェスト映像作成装置を利用することが考えられるが、この装置でダイジェスト映像情報を生成する際にはダイジェストシーンとして用いるシーン区間の時間長を音声レベル等から取得される特徴量に基づいて調整しているため、ユーザの主観による興味が強く示されたシーンが必ずしも含まれず、所望のシーンが視聴できない場合があるという問題があった。
【０００８】
本発明は上記課題を鑑みてなされたものであり、デジタル映像コンテンツデータを編集して、ユーザにより強く興味が示されたシーン区間に基づいてダイジェスト映像情報を生成し提供するダイジェスト映像情報提供装置、ダイジェスト映像情報提供方法、およびダイジェスト映像情報提供用プログラムを提供することを課題とする。
【課題を解決するための手段】
【０００９】
上記の課題を解決するための本発明のダイジェスト映像情報提供装置は、複数のシーン区間で構成された映像コンテンツに関する情報の共有元の第１ユーザが操作する第１端末と、複数の第２ユーザが操作する複数の第２端末とに接続されたダイジェスト映像情報提供装置において、前記第１端末に映像コンテンツ情報が表示されているときに、視聴している前記第１ユーザの動作状況を取得し、この第１ユーザの動作状況に基づいて、前記映像コンテンツ情報のシーン区間ごとおよび注目の種類ごとの、当該第１ユーザによる注目度を算出する注目度算出部と、算出された注目度を前記注目の種類ごとに分類し、分類した注目の種類ごとの注目度に基づいて、当該映像コンテンツ情報に関して高い注目度を示した注目の種類に対応する第２ユーザを、前記映像コンテンツに関する情報の共有先として決定する共有先判定部と、前記決定された第２ユーザの、スケジュールと、移動加速度から推定した移動手段、移動先、及び移動先に到着するまでの時間と、現在の曜日・時刻に対応する過去のコンテンツ連続視聴時間との少なくとも１つを基に、前記第２ユーザの推定視聴可能時間情報を推定して記憶する推定視聴可能時間情報記憶部と、前記推定視聴可能時間情報記憶部に記憶された推定視聴可能時間内に収まるように、前記注目度算出部で算出された注目度が予め設定された閾値よりも高いシーン区間の情報を優先的に抽出し、さらに前記第１ユーザの嗜好情報に基づいてシーン区間長を調整し、さらに前記注目度、前記第１ユーザの嗜好情報との合致度、または前記第１ユーザの興味との合致度を基に決定した連結順でシーン区間を連結することで前記映像コンテンツ情報のダイジェスト映像情報を生成するダイジェスト映像情報生成部と、前記ダイジェスト映像情報生成部で生成されたダイジェスト映像情報を、前記決定された第２ユーザに視聴させるために前記第２端末に提供する共有情報提供部とを備えることを特徴とする。
【００１０】
またこのダイジェスト映像情報提供装置は、前記共有情報提供部から前記ダイジェスト映像情報が提供され表示されたことにより、前記ダイジェスト映像情報を視聴した前記第２ユーザの操作により送信された視聴済み通知を前記第２端末から取得したときに、前記第２ユーザによる前記映像コンテンツへの注目度が高かったと判断し、当該視聴済み通知を前記第１端末に送信する共有再反応判断部をさらに有するようにしてもよい。
【００１１】
また、本発明のダイジェスト映像情報提供方法は、複数のシーン区間で構成された映像コンテンツに関する情報の共有元の第１ユーザが操作する第１端末と、複数の第２ユーザが操作する複数の第２端末とに接続されたダイジェスト映像情報提供装置が、前記第１端末に映像コンテンツ情報が表示されているときに、視聴している前記第１ユーザの動作状況を取得し、この第１ユーザの動作状況に基づいて、前記映像コンテンツ情報のシーン区間ごとおよび注目の種類ごとの、当該第１ユーザによる注目度を算出する注目度算出ステップと、算出された注目度を前記注目の種類ごとに分類し、分類した注目の種類ごとの注目度に基づいて、当該映像コンテンツ情報に関して高い注目度を示した注目の種類に対応する第２ユーザを、前記映像コンテンツに関する情報の共有先として決定する共有先判定ステップと、前記決定された第２ユーザの、スケジュールと、移動加速度から推定した移動手段、移動先、及び移動先に到着するまでの時間と、現在の曜日・時刻に対応する過去のコンテンツ連続視聴時間との少なくとも１つを基に、前記第２ユーザの推定視聴可能時間情報を推定して記憶する推定視聴可能時間情報記憶ステップと、前記推定視聴可能時間情報記憶ステップで記憶された推定視聴可能時間内に収まるように、前記注目度算出ステップで算出された注目度が予め設定された閾値よりも高いシーン区間の情報を優先的に抽出し、さらに前記第１ユーザの嗜好情報に基づいてシーン区間長を調整し、さらに前記注目度、前記第１ユーザの嗜好情報との合致度、または前記第１ユーザの興味との合致度を基に決定した連結順でシーン区間を連結することで前記映像コンテンツ情報のダイジェスト映像情報を生成するダイジェスト映像情報生成ステップと、前記ダイジェスト映像情報生成ステップで生成されたダイジェスト映像情報を、前記決定された第２ユーザに視聴させるために前記第２端末に提供する共有情報提供ステップとを有することを特徴とする。
【００１２】
またこのダイジェスト映像情報提供方法は、前記共有情報提供ステップにより前記ダイジェスト映像情報が提供され表示されたことにより、前記ダイジェスト映像情報を視聴した前記第２ユーザの操作により送信された視聴済み通知を前記第２端末から取得したときに、前記第２ユーザによる前記映像コンテンツへの注目度が高かったと判断し、当該視聴済み通知を前記第１端末に送信する共有再反応判断ステップをさらに有するようにしてもよい。
【００１３】
また本発明のダイジェスト映像情報提供用プログラムは、上記ダイジェスト映像情報提供方法をコンピュータに実行させることを特徴とする。
【発明の効果】
【００１４】
本発明のダイジェスト映像情報提供装置、ダイジェスト映像情報提供方法、およびダイジェスト映像情報提供用プログラムによれば、デジタル映像コンテンツデータを編集して、ユーザにより強く興味が示されたシーン区間に基づいてダイジェスト映像情報を生成し提供することができる。
【図面の簡単な説明】
【００１５】
【図１】本発明の一実施形態によるダイジェスト映像情報提供装置を利用した情報共有システムの構成を示す全体図である。
【図２】本発明の一実施形態によるダイジェスト映像情報提供装置の構成を示すブロック図である。
【図３】本発明の一実施形態によるダイジェスト映像情報提供装置の動作を示すフローチャートである。
【発明を実施するための形態】
【００１６】
本発明の一実施形態として、ダイジェスト映像情報提供装置を利用して、第１ユーザであるユーザＡと第２ユーザであるユーザＢとの間で、同一の映像コンテンツ情報に関する情報が共有される情報共有システムについて説明する。
【００１７】
〈一実施形態によるダイジェスト映像情報提供装置を利用した情報共有システムの構成〉
本実施形態による情報共有システムは、図１に示すように、ユーザＡの利用に供する、第１端末としてのユーザＡ端末１０およびユーザＡセンサ２０と、ユーザＢの利用に供する第２端末としてのユーザＢ端末３０と、ダイジェスト映像情報提供装置４０とを備える。
【００１８】
ユーザＡ端末１０は、ユーザＡの操作により指定された映像コンテンツの識別情報を入力してダイジェスト映像情報提供装置４０に送信し、これによりダイジェスト映像情報提供装置４０から送信された映像コンテンツ情報を再生する。また、映像コンテンツ情報の再生中にユーザＡからの能動的操作により、再生中の映像コンテンツ情報の早送り処理、巻き戻し処理、スキップ処理等を行う。
【００１９】
ユーザＡセンサ２０は、ユーザＡの動作状況を取得するものであり、例えばユーザＡを撮影した画像情報からユーザＡの顔の向きや視線、ユーザＡ端末１０の注視度合いを検出する視認情報検出器、ユーザＡの心拍を計測する心拍計測器、ユーザＡの声を検出する音声検出器、ＧＰＳ（Global Positioning System）機能を用いてユーザＡの位置情報を計測する位置情報検出器、ユーザＡの移動加速度を計測する加速度計測器、ユーザＡによるユーザＡ端末１０の操作内容（ユーザＡ端末１０の電源ＯＮ／ＯＦＦ操作、映像コンテンツの指定操作、再生中の映像コンテンツ情報の早送り操作、巻き戻し操作、またはスキップ操作等）を検出する操作内容検出器等である。
【００２０】
ユーザＢ端末３０は、ダイジェスト映像情報提供装置４０から送信されるダイジェスト映像情報を再生する。また、このダイジェスト映像情報を再生した後に、ユーザＢにより視聴済みであることを通知するための操作が行われると、視聴済み通知をダイジェスト映像情報提供装置４０に送信する。
【００２１】
ダイジェスト映像情報提供装置４０は、記憶部４１０と、制御部４２０とを有する。
【００２２】
記憶部４１０は、映像コンテンツ情報ＤＢ４１１と、コンテンツメタデータＤＢ４１２と、ユーザ設定情報ＤＢ４１３と、ユーザ状況情報ＤＢ４１４と、注目度情報ＤＢ４１５と、グループ情報ＤＢ４１６と、共有者情報ＤＢ４１７と、推定視聴可能時間情報ＤＢ４１８と、共有再反応情報ＤＢ４１９とを有する。
【００２３】
映像コンテンツ情報ＤＢ４１１は、複数の映像コンテンツ情報を記憶する。これらの映像コンテンツ情報は、それぞれ複数のシーン区間の映像情報で構成されている。
【００２４】
コンテンツメタデータＤＢ４１２は、映像コンテンツ情報ＤＢ４１１に記憶された映像コンテンツ情報ごとの、ジャンル（お笑い、ニュース、教育、音楽、アニメ等）や、出演者、製作者、放送局、放映時間帯、コンテンツ長等の情報を含むメタデータを記憶する。
【００２５】
ユーザ設定情報ＤＢ４１３は、ユーザごとの、顔の特徴情報や、ジャンルやコンテンツ内容に関する嗜好情報、行動に関するスケジュール情報等を記憶する。
【００２６】
ユーザ状況情報ＤＢ４１４は、後述する制御部４２０のセンサ情報取得部４２２で取得されるユーザＡの動作状況を記憶する。
【００２７】
注目度情報ＤＢ４１５は、後述する制御部４２０の注目度算出部４２３で算出される注目の種類（例えば「おもしろさ」、「驚き」等）ごとの注目度を記憶する。
【００２８】
グループ情報ＤＢ４１６は、ユーザＡとコンテンツに関する情報を共有する共有者を、「友人」、「仕事の同僚」など、ユーザＡにより分類された共有者グループごとに記憶する。
【００２９】
共有者情報ＤＢ４１７は、予め設定された、注目の種類と、グループ情報ＤＢ４１６に記憶された共有者グループまたは固別の共有者との対応を示す共有者情報を記憶する。例えば、注目の種類「おもしろさ」には共有者グループ「友人」が対応し、注目の種類「驚き」には、共有者グループ「仕事の同僚」が対応するように設定される。
【００３０】
推定視聴可能時間情報ＤＢ４１８は、後述する推定視聴可能時間情報生成部４２５で生成される推定視聴可能時間情報を記憶する。
【００３１】
共有再反応情報ＤＢ４１９は、後述する共有再反応判断部４２８から送出される共有再反応情報を記憶する。
【００３２】
制御部４２０は、映像コンテンツ情報提供部４２１と、センサ情報取得部４２２と、注目度算出部４２３と、共有先判定部４２４と、推定視聴可能時間情報生成部４２５と、ダイジェスト映像情報生成部４２６と、共有情報提供部４２７と、共有再反応判断部４２８とを有する。
【００３３】
映像コンテンツ情報提供部４２１は、ユーザＡ端末１０から送信された映像コンテンツ情報の識別情報に該当する映像コンテンツ情報を映像コンテンツ情報ＤＢ４１１から取得し、ユーザＡ端末１０に提供する。
【００３４】
センサ情報取得部４２２は、ユーザＡセンサ２０で取得されたユーザＡの動作状況を取得する。
【００３５】
注目度算出部４２３は、映像コンテンツ情報提供部４２１の提供による映像コンテンツ情報の再生状況と、センサ情報取得部４２２で取得されたユーザＡの動作状況とに基づいて、当該映像コンテンツ情報のシーン区間ごとのユーザＡによる注目度を、注目の種類ごとに算出する。
【００３６】
共有先判定部４２４は、共有者情報ＤＢ４１７に記憶された共有者情報に基づいて、当該映像コンテンツ情報に関して高い注目度を示した注目の種類に対応する共有先を判定する。
【００３７】
推定視聴可能時間情報生成部４２５は、共有先判定部４２４で判定された共有先の共有者の映像コンテンツを視聴可能な空き時間を示す推定視聴可能時間情報を、ユーザ状況情報ＤＢ４１４に記憶されたスケジュール情報等に基づいて生成する。
【００３８】
ダイジェスト映像情報生成部４２６は、注目度情報ＤＢ４１５に記憶された注目度と、推定視聴可能時間情報ＤＢ４１８に記憶された推定視聴可能時間情報とに基づいて、当該共有先として判定された共有者の推定視聴可能時間内に収まるように、当該映像コンテンツ情報の中の注目度の高いシーン区間の映像情報で構成されたダイジェスト映像情報を生成する。
【００３９】
共有情報提供部４２７は、ダイジェスト映像情報生成部４２６で生成されたダイジェスト映像情報およびこのダイジェスト映像情報をユーザ端末に再生させるためのユーザインタフェース（ＵＩ）情報を、共有先判定部４２４で判定された共有先のユーザ端末に送信する。
【００４０】
共有再反応判断部４２８は、共有情報提供部４２７から共有先にダイジェスト映像情報を送信したことによりこの送信先のユーザ端末から視聴済み通知を受信したときに送信先のユーザ端末でダイジェスト映像情報を視聴したユーザが当該映像コンテンツに興味を示したと判断し、この視聴済み通知を、当該映像コンテンツ情報を視聴したユーザＡのユーザＡ端末１０に転送するとともに共有再反応情報ＤＢ４１９に送出する。
【００４１】
〈一実施形態によるダイジェスト映像情報提供装置を利用した情報共有システムの動作〉
次に、本実施形態による情報共有システムにおける動作を、図３のフローチャートを参照して説明する。
【００４２】
本実施形態においては、情報共有システム１が稼動すると所定時間間隔でユーザＡの動作状況として、ユーザＡセンサ２０としての視認情報検出器によりユーザＡを撮影した画像情報からユーザの顔の向きや視線、ユーザＡ端末１０の注視度合いが検出され、心拍計測器によりユーザＡの心拍が計測され、音声検出器によりユーザＡの声が検出され、位置情報検出器によりＧＰＳ（Global Positioning System）機能を用いてユーザＡの位置情報が計測され、加速度計測器によりユーザＡの移動加速度が計測され、操作内容検出器によりユーザＡによるユーザＡ端末１０の操作内容（ユーザＡ端末１０の電源ＯＮ／ＯＦＦ操作、映像コンテンツの指定操作、再生中の映像コンテンツ情報の早送り操作、巻き戻し操作、またはスキップ操作等）が検出される。
【００４３】
これらの情報が逐次取得されている状態で、ユーザＡ端末１０においてユーザＡの操作によりユーザＡ端末１０のスイッチがＯＮ状態にされ、他のユーザと情報を共有するための映像コンテンツが指定されると、この操作で指定された映像コンテンツの識別情報がダイジェスト映像情報提供装置４０に送信される。
【００４４】
ダイジェスト映像情報提供装置４０では、ユーザＡ端末１０から送信された映像コンテンツの識別情報が受信されると（Ｓ１）、映像コンテンツ情報提供部４２１により該当する映像コンテンツ情報が映像コンテンツ情報ＤＢ４１１から取得され、ユーザＡ端末１０に提供される（Ｓ２）。
【００４５】
ユーザＡ端末１０では、ダイジェスト映像情報提供装置４０から提供された映像コンテンツ情報が再生され、ユーザＡにより視聴される。
【００４６】
ユーザＡ端末１０において映像コンテンツ情報が再生されている間に、ダイジェスト映像情報提供装置４０のセンサ情報取得部４２２では、ユーザＡセンサ２０において所定時間間隔で取得されたユーザＡの動作状況が取得され、取得時刻情報とともにユーザ状況情報ＤＢ４１４に記憶される（Ｓ３）。
【００４７】
ユーザＡの動作状況の取得はユーザＡによる当該映像コンテンツ情報の視聴が終了するまで継続され（Ｓ４の「NO」）、映像コンテンツ情報の視聴が終了すると（Ｓ４の「YES」）、注目度算出部４２３において、映像コンテンツ情報提供部４２１による映像コンテンツ情報の再生状況（各シーン区間の再生開始時刻情報および再生終了時刻情報）と、センサ情報取得部４２２で取得されたユーザＡの動作状況とに基づいて、当該映像コンテンツ情報のシーン区間ごとおよび注目の種類ごとの、ユーザＡによる注目度が算出される（Ｓ５）。
【００４８】
この注目度は、例えば以下(1)〜(4)のように算出される。
【００４９】
(1)ユーザＡの動作状況として検出された顔の向きや視線、ユーザＡ端末１０の注視度合いに基づいて、ユーザＡがユーザＡ端末１０を注意深く見ていると判断されるときに再生されているシーン区間の注目度が高く算出される。
【００５０】
(2)ユーザＡの動作状況として計測された心拍が高くなったと判断されたときに再生されているシーン区間の注目度が高く算出される。
【００５１】
(3)ユーザＡの動作状況として検出されたユーザＡの声に基づいて、ユーザＡが笑い声を発したと判断されたときに再生されているシーン区間の注目度が高く算出される。
【００５２】
(4)ユーザＡの動作状況として、再生中の映像コンテンツ情報の操作（映像コンテンツ情報の早送り操作、巻き戻し操作、またはスキップ操作等）が検出された直後の一定期間に再生されているシーン区間の注目度が高く算出される。
【００５３】
この算出された注目度は検出要件により注目の種類が分類され、例えば検出要件「ユーザの笑い声」により算出された注目度は注目の種類「おもしろさ」に分類される。また、この注目度の算出にユーザ設定情報ＤＢ４１３に記憶されたユーザＡの嗜好情報（ジャンルやコンテンツ内容に関する）をさらに用い、例えば検出要件「ユーザＡの嗜好情報（ジャンル；ニュース）」および「ユーザＡの視認情報」により検出された注目度は注目の種類「驚き」に分類されるようにしてもよい。このユーザの嗜好情報に当該映像コンテンツ情報が該当するか否かは、記憶部４１０のコンテンツメタデータＤＢ４１２に記憶された情報が参照されて判断される。
【００５４】
このようにして算出された注目の種類ごとの注目度は、［ユーザＩＤ、映像コンテンツＩＤ、シーン区間ＩＤ、注目度、注目の種類］の構成のデータとして注目度情報ＤＢ４１５に記憶される。
【００５５】
次に共有先判定部４２４により、共有者情報ＤＢ４１７に記憶された共有者情報およびグループ情報ＤＢ４１６に記憶された共有者グループ情報に基づいて、当該映像コンテンツ情報に関して高い注目度を示した注目の種類に対応する共有先が判定される（Ｓ６）。ここでは、当該映像コンテンツ情報に関して高い注目度を示した注目の種類が「おもしろさ」であり、これに対応する共有者が共有者情報に基づいて共有者グループ「友人」であると判定され、さらにこの共有者グループ「友人」に該当する共有者がグループ情報に基づいて「ユーザＢ」として判定されたものとする。
【００５６】
また、推定視聴可能時間情報生成部４２５では、共有者情報ＤＢ４１７に記憶された共有者「ユーザＢ」の、映像コンテンツを視聴可能な時間を示す推定視聴可能時間情報が生成される（Ｓ７）。
【００５７】
この視聴可能時間情報は、例えば以下(1)〜(4)のように推定され、生成される。
【００５８】
(1)予めユーザ設定情報ＤＢ４１３に記憶されたスケジュール情報に基づいて、ユーザごとの、スケジュールの空き時間を視聴可能時間として推定する。
【００５９】
(2)予めユーザ設定情報ＤＢ４１３に記憶されたスケジュール情報に基づいて、ユーザごとの、朝起きてから家を出る時刻までの時間や、家を出てから乗車した列車が目的駅に着くまでの時間などを視聴可能時間として推定する。
【００６０】
(3)ユーザごとの、過去のコンテンツ連続視聴時間（視聴履歴）と曜日・時刻との関係を示す統計を予めユーザ設定情報ＤＢ４１３に記憶しておき、現在の曜日・時刻に対応する過去のコンテンツ連続視聴時間を視聴可能時間として推定する。
【００６１】
(4)ユーザ状況情報ＤＢ４１４に記憶されたユーザごとの動作状況の位置情報および移動加速度と、予め記憶された列車の時刻表情報、路線図情報等とに基づいて、列車により移動中であるか否かが判断され、列車により移動中であると判断されたときに、到着までの時間を視聴可能時間として推定する。このとき、加速度計測器により計測された移動加速度が所定値以上であるときに乗り物に乗っていると判断され、さらに移動加速度の変化が解析されることにより移動手段が推定されて移動先および到着までの時間が推定されるようにしてもよい。
【００６２】
このようにして生成された推定視聴可能時間情報は、推定視聴可能時間情報ＤＢ４１８に記憶される。
【００６３】
次にダイジェスト映像情報生成部４２６により、注目度情報ＤＢ４１５に記憶された注目度と、推定視聴可能時間情報ＤＢ４１８に記憶された推定視聴可能時間情報とに基づいて、当該共有先として判定された共有者「ユーザＢ」の推定視聴可能時間（例えば１５分）内に収まるように、当該映像コンテンツ情報の中の注目度の高いシーン区間の映像情報で構成されたダイジェスト映像情報が生成される（Ｓ８）。
【００６４】
このダイジェスト映像情報を生成する際には、推定視聴可能時間情報に基づいて、注目度の高いシーン区間の映像情報を抽出するための閾値が変更され、生成に使用するシーン区間の数やシーン区間長が調整される。
【００６５】
このとき、ユーザ設定情報ＤＢ４１３に記憶された、視聴したユーザの嗜好情報との合致度がさらに使用され、興味があると判断されたシーンの区間長を長くする等、調整するようにしてもよい。
【００６６】
また、抽出されたシーン区間の映像情報は、注目度が高い区間から順に連結したり、ユーザの嗜好、興味との合致度が高い順に連結したりすることができる。
【００６７】
次に共有情報提供部４２７により、生成されたダイジェスト映像情報およびこのダイジェスト映像情報をユーザ端末に再生させるためのユーザインタフェース（ＵＩ）情報が、共有先判定部４２４で判定された共有先のユーザＢ端末３０に送信される（Ｓ９）。
【００６８】
ユーザＢ端末３０では、ダイジェスト映像情報提供装置４０から送信されたダイジェスト映像情報が受信されて再生され、ユーザＢにより視聴される。
【００６９】
ユーザＢ端末３０においてダイジェスト映像情報が再生された後、視聴したユーザＢによりユーザＢにより視聴済みであることを通知するための操作（例えばユーザＢ端末３０の画面に表示された「見たよボタン」の押下）が行われたことを検知すると、視聴済み通知がダイジェスト映像情報提供装置４０に送信される。
【００７０】
ダイジェスト映像情報提供装置４０では、ユーザＢ端末３０から送信された視聴済み通知が共有再反応判断部４２８で受信されると、ユーザＢ端末３０で当該ダイジェスト映像情報を視聴したユーザＢが当該映像コンテンツに興味を示し注目度が高かったと判断され、この視聴済み通知が、当該映像コンテンツ情報を視聴したユーザＡのユーザＡ端末１０に転送される（Ｓ１０）。またこの視聴済み通知は、［ユーザＩＤ、映像コンテンツＩＤ、提示シーン区間ＩＤ、注目度］の構成のデータとして共有再反応情報ＤＢ４１９に記憶される。
【００７１】
ユーザＡ端末１０では、ユーザＢにより送信された視聴済み通知が画面に表示され、ユーザＢが当該映像コンテンツに関して高い興味を示し注目度が高かったことがユーザＡにより認識される。
【００７２】
この視聴済み通知は、ダイジェスト映像情報提供装置４０を介してユーザＡ端末１０に送信される場合の他、電子メール等で通知するようにしてもよい。
【００７３】
以上の本実施形態によれば、同一の映像コンテンツに関し、ユーザＡとユーザＢとの間で、興味の度合いに基づいた情報が共有可能になる。
【００７４】
その際、注目度を用いて、映像コンテンツの中でユーザが主観的に興味を強く示したシーン区間を検出し、このシーン区間の映像情報を選択的に使用してダイジェスト映像情報を生成することができるため、これを提供されたユーザは映像コンテンツの全編を視聴することなく、少ない空き時間を有効に利用して共有元のユーザが興味を示したシーン区間をピンポイントで視聴することができ、時間を節約することができる。また、ダイジェスト映像情報が利用されることにより１映像コンテンツあたりの視聴時間が短縮されるため、提供されたユーザは視聴する映像コンテンツ数を増やすことができる。さらに、視聴する映像コンテンツ数が増やすことができれば、友人等と共有する映像コンテンツの数も増やすことができ、ユーザ間のコミュニケーションを活性化することができる。
【００７５】
また、共有元のユーザの注目度が高いシーン区間の映像情報によりダイジェスト映像情報を編集するため、共有元のユーザが興味を持ったシーン区間を共有先のユーザに効率的に伝えることができると同時に、同じシーン区間についての話題を共有することができる。
【００７６】
また、共有先のユーザの「ながら見」や「スキマ時間」の利用を想定した時間長でダイジェスト映像情報が生成されるため、視聴時間内に当該ダイジェスト映像情報を最後まで視聴することができ、中断により続きが気になるという事態を避けることができる。
【００７７】
また、共有先のユーザの注目度も利用することにより、共有元のユーザと共有先のユーザの双方が注目したシーン区間の映像情報を抽出することができ、さらにユーザ間のコミュニケーションを支援することができる。
【００７８】
また上記実施形態において、ユーザが映像コンテンツ情報を視聴している間に、リアルタイムでダイジェスト映像情報を更新して生成するようにしてもよい。このとき、例えば視認情報検出器の検出結果によりユーザが映像コンテンツに注目していると判断されている間のシーン区間の映像情報はカットされずに（またはカット部分を減らして）ダイジェスト映像情報に含めるようにすることで、ユーザが興味を示したシーン区間の見逃しを防止することができる。
【００７９】
また上記実施形態において、ダイジェスト映像情報生成部４２６で生成されたダイジェスト映像情報を記憶部４１０に記憶しておき、再度再生させたり他のユーザに提供するようにしてもよい。
【００８０】
また上記実施形態において、ダイジェスト映像情報を視聴したユーザがさらに他のユーザを共有先として指定することにより、この指定されたユーザにもダイジェスト映像情報が転送され、多数のユーザ間でコミュニケーションツールとして用いるようにしてもよい。
【００８１】
また上記実施形態においては、ユーザにより指定された映像コンテンツ情報を用いて他のユーザと情報を共有する場合について説明したが、ユーザ設定情報ＤＢ４１３に記憶されたユーザの嗜好情報に基づいて映像コンテンツ情報ＤＢ４１１から映像コンテンツ情報を抽出し、これを用いて情報を共有するようにしてもよい。
【００８２】
また上記実施形態において、情報の共有先のユーザ端末では、他ユーザから送信されるダイジェスト映像情報の再生に関して優先度をつけられるように設定してもよく、例えばいつ、どのような頻度でダイジェスト映像情報の再生を行うか、または他のユーザと比較してどちらから送信されたダイジェスト映像情報を優先して再生を行うか等を設定してもよい。
【００８３】
また上記実施形態においては、予め記憶された映像コンテンツ情報についてダイジェスト映像情報を生成し複数のユーザ間で情報を共有する場合について説明したが、他にもＣＡＴＶ、インターネット上のビデオストリーミング、ＩＰＴＶ、デジタルサイネージへのコンテンツ配信、ビデオレコーダの機能として、ダイジェスト映像情報の生成や、映像コンテンツ情報に関する複数ユーザ間での情報共有にも利用することができる。
【００８４】
また、上述したダイジェスト映像情報提供装置の映像コンテンツ情報提供部、センサ情報取得部、注目度算出部、共有先判定部、推定視聴可能時間情報生成部、ダイジェスト映像情報生成部、共有情報提供部、および共有再反応判断部の機能構成をプログラム化してコンピュータに組み込むことにより、当該コンピュータをダイジェスト映像情報提供装置として機能させるダイジェスト映像情報提供用プログラムを構築することも可能である。
【符号の説明】
【００８５】
１…情報共有システム
１０…ユーザＡ端末（第１端末）
２０…ユーザＡセンサ
３０…ユーザＢ端末（第２端末）
４０…ダイジェスト映像情報提供装置
４１０…記憶部
４１１…映像コンテンツ情報ＤＢ
４１２…コンテンツメタデータＤＢ
４１３…ユーザ設定情報ＤＢ
４１４…ユーザ状況情報ＤＢ
４１５…注目度ＤＢ
４１６…グループ情報ＤＢ
４１７…共有者情報ＤＢ
４１８…推定視聴可能時間情報ＤＢ
４１９…共有再反応情報ＤＢ
４２０…制御部
４２１…映像コンテンツ情報提供部
４２２…センサ情報取得部
４２３…注目度算出部
４２４…共有先判定部
４２５…推定視聴可能時間情報生成部
４２６…ダイジェスト映像情報生成部
４２７…共有情報提供部
４２８…共有再反応判断部
【図１】
0005596622.tif 000002
【図２】
0005596622.tif 000003
【図３】
0005596622.tif 000004